Podtech/llm-jp-corpus-v4-ja_patent huggingface dataset:
【誤訳訂正書】
【提出日】平成23年12月27日(2011.12.27)
【誤訳訂正１】
【訂正対象書類名】明細書
【訂正対象項目名】００１４
【訂正方法】変更
【訂正の内容】
【００１４】
タイヤは、上述したように、種々のタイプの構成のものである。
米国特許第４，８３２，１０２号明細書は例えば、クラウン、２つのサイドウォール、２つのビード、カーカス補強材及びクラウン補強材を有し、カーカス補強材が、２つのビード内に繋留された高弾性率の補強スレッドの２つの周方向アラインメントを有し、クラウン補強材が高弾性率の補強スレッドの少なくとも１つのプライを備えた少なくとも１つの作業ブロックを有する飛行機用タイヤを記載している。カーカス補強材、即ち、高弾性率の第１の補強スレッドの２つの周方向アラインメントは、ビードワイヤの周りに折り返すことによりビード内に繋留される。
【誤訳訂正書】
【提出日】平成24年6月19日(2012.6.19)
【誤訳訂正１】
【訂正対象書類名】明細書
【訂正対象項目名】００５４
【訂正方法】変更
【訂正の内容】
【００５４】
小さな孔と高い屈曲性（捻り及び曲げ）を有する液体‐電気揮発性物質送給装置に使用されている標準的な芯と対照的に、本発明によるペグ７０、ペグ８０、マット５０、マット６０、マット１４４、本発明の基体から成る芯、多孔性プラグ１４４ａは、より低い屈曲性とより大きな孔を有しながら、適量の流量を維持することができる。ペグ７０、ペグ８０、マット５０、マット６０、マット１４４、本発明の基体から成る芯、多孔性プラグ１４４ａの構造は、流体の接触角度を縮小するために重合体結合剤を採用している。接触角度をさらに縮小し、ペグ７０、ペグ８０、マット５０、マット６０、マット１４４、本発明の基体から成る芯、多孔性プラグ１４４ａにおける若干の欠陥及び断続箇所を、接触角度をより大きくしてしまう液体から遮断するために、重合体結合剤に加え、ジメチルシリコーンなどの重合体表面コーティングを、ペグ７０、ペグ８０、マット５０、マット６０、マット１４４、本発明の基体から成る芯、多孔性プラグ１４４ａの表面上に付与してもよい。
【誤訳訂正２】
【訂正対象書類名】明細書
【訂正対象項目名】特許請求の範囲
【訂正方法】変更
【訂正の内容】
【特許請求の範囲】
【請求項１】
基体から揮発性材料を送給する揮発性物質送給装置に使用する基体であって、
架橋性ポリマー材料およびその混合物から選択されたバインダーを含むコーティングを有する粒状粒子であって、該コーティングが接触点で溶融し合うことにより前記粒状粒子は互いに接着されて孔と通路の網状組織を有する本体を形成しており、該本体の内部表面は送給する揮発性材料に対して非反応的及び非吸収的である粒状粒子と、
前記孔内に配置された揮発性材料であって、前記送給装置により、害虫を駆除する送給速度で初めに送給可能な害虫駆除アクティブ成分を含む揮発性材料と、を含み、
前記揮発性物質送給装置を作動させると前記孔から前記揮発性材料が放出され、これにより前記揮発性材料が送給され、
前記害虫駆除アクティブ成分が、天然ピレトリン、ジョチュウギク抽出液、合成ピレトロイド、及びこれらの混合物からなる群から選択され、
形成された前記本体の表面上にジメチルシリコーンが付与されている前記基体。
【請求項２】
前記揮発性材料が、本体への適用時に本質的に溶剤を含有していない、請求項１に記載の基体。
【請求項３】
前記粒子が砂を含む、請求項１又は請求項２に記載の基体。
【請求項４】
前記基体が、ヘッドと円筒形本体とからなり、前記円筒形本体が、前記揮発性物質送給装置の頂部に設けられた穴内に挿入できる幅を有し、前記ヘッドが前記穴内に滑り落ちない幅を有している、請求項１〜請求項３のいずれか1項に記載の基体。
【請求項５】
前記揮発性材料が、前記円筒形本体の中心または下方部分のみに供給される、請求項１〜請求項４のいずれか1項に記載の基体。
【誤訳訂正書】
【提出日】平成24年5月17日(2012.5.17)
【誤訳訂正１】
【訂正対象書類名】明細書
【訂正対象項目名】特許請求の範囲
【訂正方法】変更
【訂正の内容】
【特許請求の範囲】
【請求項１】  酸化アルミニウムをニッケル化合物及び硫黄化合物で同時に処理し、こうして得られた触媒を引き続き乾燥させ、かつ焼成することにより、炭素原子数４〜６を有するオレフィン用の低量重合触媒を製造する場合に、この方法で、完成触媒中の硫黄対ニッケルのモル比を０.２８：１〜０.３５：１に調節することを特徴とする、炭素原子数４〜６を有するオレフィン用の低量重合触媒の製造法。
【請求項２】  酸化アルミニウムとして、γ−酸化アルミニウム又はη−酸化アルミニウム又はそれらの混合物を使用する、請求項１に記載の方法。
【請求項３】  酸化アルミニウムとして、γ−酸化アルミニウムを使用する、請求項２に記載の方法。
【請求項４】  請求項１から３までのいずれか１項に記載の方法により得られる低量重合触媒。
【請求項５】  ２０〜２８０℃の温度及び１０〜３００バールの圧力で炭素原子数４〜６を有するオレフィン又はこれらオレフィンの混合物のオリゴマーを製造する場合に、この方法を、請求項４に記載の触媒の存在下に実施することを特徴とする、炭素原子数４〜６を有するオレフィン又はこれらオレフィンの混合物のオリゴマーを製造する方法。
【請求項６】  オレフィンとして、炭素原子数４を有するものを使用する、請求項５に記載の方法。
【請求項７】  １−ブテン及び／又は２−ブテン及びブタンの混合物を含有し、実質的にイソブテン不含である炭化水素流を使用する、請求項６に記載の方法。
【手続補正２】
【補正対象書類名】  明細書
【補正対象項目名】  ００３６
【補正方法】        変更
【補正の内容】
【００３６】
低量重合反応は、２０〜２８０℃で、有利に３０〜１４０℃で、殊に３０〜１２０℃で、かつ１０〜３００バール、有利に１５〜１００バール、殊に２０〜７０バールの圧力で行われる。この場合に、調節された温度で、出発炭化水素混合物が液状で又は超臨界状態で存在するような圧力を選択するのが有利である。反応器は、通常、触媒が充填されている円筒状の反応器であり、これに、液状の反応混合物が、例えば上から下に流される。本発明による低量重合法は、固有の１反応器中で、ブテンの所望の最終変換率に至るまで実施することができ、この場合に、低量重合触媒は反応器中の単一の又は複数の固定床中に配置されていてよい。本発明の方法の実施のために複数の、特に２個の前後に接続された反応器から成る反応器カスケードを使用することもでき、このカスケードの最後の反応器の前に接続された１個又は複数の反応器を通過する際に、反応混合物中の炭化水素の低量重合が部分変換率まで実施され、かつ、所望の最終変換率は、カスケードの最後の反応器を反応混合物が通過する際に初めて達成されうる。この反応器カスケードの個々の反応器中では、低量重合触媒が単一の又は複数の触媒床中に配置されていてよい。更に、この反応器カスケードの個々の反応器中では圧力及び／又は温度に関して前記の圧力及び温度の範囲内で種々異なる反応条件に調節することができる。更に、カスケードの全反応器中で同じ触媒の使用が有利であるが、カスケードの個々の反応器中で異なる低量重合触媒を使用することも可能である。
【手続補正書】
【提出日】平成24年8月28日(2012.8.28)
【手続補正１】
【補正対象書類名】特許請求の範囲
【補正対象項目名】全文
【補正方法】変更
【補正の内容】
【特許請求の範囲】
【請求項１】
以下の工程を含む、生物内に特徴的なマーカーを作製する方法：
―関心のある形質を選択する工程
―形質と関連する遺伝子座を決定する工程；
―前記遺伝子座の遺伝子地図位置を決定する工程；
―前記遺伝子座からの遺伝的距離の範囲内に位置するマーカーを同定する工程であって、単一のマーカーの場合、マーカーの遺伝的距離が前記遺伝子座から最大で2 cMの距離であり、二つ以上のマーカーの場合、マーカーの遺伝的距離が前記遺伝子座から最大で10 cMの距離である、工程；
―集団の各個体が前記マーカー（単数または複数）を含む生物の集団を提供する工程；
―集団の各個体のマーカー（単数または複数）のヌクレオチド配列を決定する工程；
―マーカーのヌクレオチド配列を整列する工程；
―集団のすべてのマーカーで同じヌクレオチドを含む、マーカー配列中の少なくとも一つの位置を選択する工程；
―前記少なくとも一つの位置の両側に近接するマーカー配列にハイブリダイズすることができるオリゴヌクレオチドをデザインする工程であって、前記オリゴヌクレオチドが、前記少なくとも一つの位置で、マーカー内の前記少なくとも一つの位置のヌクレオチドとは異なるヌクレオチド（マーカーヌクレオチド）を更に含む、工程；
―生物のＤＮＡ中に前記マーカーヌクレオチドを、前記オリゴヌクレオチドを用いた標的ヌクレオチド変換を使用して導入し、それにより形質と関連するマーカー内にユニークで選択可能なＳＮＰを導入する工程。
【請求項２】
前記マーカーが分子マーカー技術によって同定される、請求項１に記載の方法。
【請求項３】
前記マーカーが、前記遺伝子座から最大1 cM、好ましくは最大0.1 cMの距離で位置している、請求項１または２に記載の方法。
【請求項４】
独立して、前記遺伝子座から最大2 cM、好ましくは最大0.2 cMに位置して、二つ以上のマーカーが作製される、請求項１から３のいずれか一項に記載の方法。
【請求項５】
前記生物が植物、動物または微生物である、請求項１から４のいずれか一項に記載の方法。
【請求項６】
前記生物が、低い多型生物、例えば、綿（Gossipyum hirsutum）、大豆（Glycine max）、栽培されたトマト（Solanum esculentum）、スイカ（Citrullus lanatus）、キュウリ（Cucumis sativa）である、請求項１から５のいずれか一項に記載の方法。
【請求項７】
前記分子マーカー技術が、多重マーカー技術、好ましくはAFLP、RAPD、SSR、SFPおよび／またはSNPから成る群から選択される、請求項２に記載の方法。
【請求項８】
AFLP、RAPD、SSR、SFPおよび／またはSNPから成る群に由来する多重マーカー技術を用いて、少なくとも二つの分子マーカーが独立して得られる、請求項２に記載の方法。
【請求項９】
前記生物のDNAが繁殖に適したドナーライン由来である、請求項１から８のいずれか一項に記載の方法。
【請求項１０】
ユニークで選択可能なマーカーを、多コピーなDNA切片に導入するための、請求項１から９のいずれか一項に記載の方法。
【請求項１１】
既存の繁殖材料に、一つまたは複数の人工的なマーカーを作製する、請求項１から１０のいずれか一項に記載の方法の使用。
【請求項１２】
遺伝的に改変させた材料に一つまたは複数のマーカーを導入する、請求項１から１０のいずれか一項に記載の方法の使用。
【請求項１３】
繁殖材料中の関心のある遺伝子座に隣接するユニークな分子マーカーを作製するためのTNEの使用。
【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
ＭＳＴＮ遺伝子、ＣＯＸ４Ｉ２遺伝子、ＰＤＫ４遺伝子、ＣＫＭ遺伝子、またはＣＯＸ４Ｉ１遺伝子の中の１以上における一塩基多型（ＳＮＰ）の存在に関して、対象に由来する生物学的標本をアッセイするステップを含む、対象の潜在的競技パフォーマンスを予測するための方法。
【請求項２】
ＳＮＰがＭＳＴＮ＿６６４９３７３７（Ｔ／Ｃ）である、請求項１に記載の方法。
【請求項３】
Ｃアレルの存在が優れた競技パフォーマンスを示す、請求項２に記載の方法。
【請求項４】
ホモ接合ＣＣ遺伝子型の存在が優れた競技パフォーマンスを示す、請求項２または３に記載の方法。
【請求項５】
優れた競技パフォーマンスが優れた全力疾走パフォーマンスである、請求項２から４のいずれかに記載の方法。
【請求項６】
ＳＮＰがＣＯＸ４Ｉ２＿２２６８４３９０（Ｃ／Ｔ）である、請求項１から５のいずれかに記載の方法。
【請求項７】
ＳＮＰがＰＤＫ４＿３８９７３２３１（Ａ／Ｇ）である、請求項１から６のいずれかに記載の方法。
【請求項８】
ＳＮＰがＣＫＭ＿１５８８４５６７（Ｇ／Ａ）である、請求項１から７のいずれかに記載の方法。
【請求項９】
ＳＮＰがＣＯＸ４Ｉ１＿３２７７２８７１（Ｔ／Ｃ）である、請求項１から８のいずれかに記載の方法。
【請求項１０】
対象の生物学的標本が、血液、唾液、骨格筋、体毛、精液、骨髄、軟部組織、内部臓器生検標本および皮膚を含む群から選択される、請求項１から９のいずれか１項に記載の方法。
【請求項１１】
対象が競争レース種に由来する、請求項１から１０のいずれか１項に記載の方法。
【請求項１２】
対象がウマ科動物である、請求項１から１１のいずれか１項に記載の方法。
【請求項１３】
対象がサラブレッド競走馬である、請求項１から１２のいずれか１項に記載の方法。
【請求項１４】
標本を得るステップ；
標本からＤＮＡを抽出するか、または遊離させるステップ；および
抽出または遊離されたＤＮＡにおける競技パフォーマンスに関連した遺伝子に由来する一塩基多型（ＳＮＰ）標的配列を同定するステップ
を含み、対象の潜在的競技パフォーマンスが当該ＳＮＰと関連する、対象の潜在的競技パフォーマンスを測定するためのアッセイ。
【請求項１５】
競技パフォーマンスに関連した遺伝子がＭＳＴＮ、ＣＯＸ４Ｉ２、ＰＤＫ４、ＣＫＭまたはＣＯＸ４Ｉ１の中の１以上から選択される、請求項１４に記載のアッセイ。
【請求項１６】
抽出または遊離されたＤＮＡにおける競技パフォーマンスに関連した遺伝子に由来する標的配列を増幅するステップを、一塩基多型を同定するステップの前に含む、請求項１４または１５に記載のアッセイ。
【請求項１７】
ＤＮＡがゲノムＤＮＡである、請求項１４から１６のいずれかに記載のアッセイ。
【請求項１８】
ＭＳＴＮ遺伝子、ＣＯＸ４Ｉ２遺伝子、ＰＤＫ４遺伝子、ＣＫＭ遺伝子、またはＣＯＸ４Ｉ１遺伝子の内の１以上における一塩基多型（ＳＮＰ）の存在を検出するための手段を含む、対象の潜在的競技パフォーマンスを測定することにおける使用のためのアッセイ。
【請求項１９】
ＳＮＰがＭＳＴＮ＿６６４９３７３７  （Ｔ／Ｃ）である、請求項１４から１８のいずれかに記載のアッセイ。
【請求項２０】
Ｃアレルの存在が優れた競技パフォーマンスを示す、請求項１９に記載のアッセイ。
【請求項２１】
ホモ接合ＣＣ遺伝子型の存在が優れた競技パフォーマンスを示す、請求項１９または２０に記載のアッセイ。
【請求項２２】
優れた競技パフォーマンスが優れた全力疾走パフォーマンスである、請求項１９から２１のいずれかに記載のアッセイ。
【請求項２３】
ＳＮＰがＣＯＸ４Ｉ２＿２２６８４３９０（Ｃ／Ｔ）である、請求項１４から２２のいずれかに記載の方法。
【請求項２４】
ＳＮＰがＰＤＫ４＿３８９７３２３１（Ａ／Ｇ）である、請求項１４から２３のいずれかに記載のアッセイ。
【請求項２５】
ＳＮＰがＣＫＭ＿１５８８４５６７（Ｇ／Ａ）である、請求項１４から２４のいずれかに記載のアッセイ。
【請求項２６】
ＳＮＰがＣＯＸ４Ｉ１＿３２７７２８７１（Ｔ／Ｃ）である、請求項１４から２５のいずれかに記載のアッセイ。
【請求項２７】
対象が競争レース種に由来する、請求項１４から２６のいずれか１項に記載のアッセイ。
【請求項２８】
対象がウマ科動物である、請求項１４から２７のいずれか１項に記載のアッセイ。
【請求項２９】
対象がサラブレッド競走馬である、請求項１４から２８のいずれか１項に記載のアッセイ。
【手続補正書】
【提出日】平成24年9月10日(2012.9.10)
【手続補正１】
【補正対象書類名】特許請求の範囲
【補正対象項目名】全文
【補正方法】変更
【補正の内容】
【特許請求の範囲】
【請求項１】
試料中の非ルシフェラーゼ酵素の存在または活性を検出または測定する方法であって、  a)試料と、非ルシフェラーゼ酵素媒介反応のための第1反応混合物と、前記非ルシフェラーゼ酵素の基質を含む2-シアノ-6-置換ベンゾチアゾールの誘導体とを含む第1混合物であって、前記第1混合物が、前記非ルシフェラーゼ酵素の活性に特異的な補因子を含まず、前記誘導体が、D-システイン存在下、補因子の非存在下で甲虫ルシフェラーゼの生物発光基質である生成物を生じる、前記第1混合物を提供する工程;
b)前記第1混合物の少なくとも一部と、D-システインを含む、甲虫ルシフェラーゼ媒介反応のための第2反応混合物とを接触させて、第2混合物を産出する工程;及び
c)前記第2混合物における発光を、前記試料と、非ルシフェラーゼ酵素媒介反応のための第1反応混合物と、前記2-シアノ-6-置換ベンゾチアゾールの誘導体と、前記非ルシフェラーゼ酵素に特異的な補因子とを有する第3混合物が、D-システインを含む前記甲虫ルシフェラーゼ媒介反応のための反応混合物と接触される対照混合物における発光と比較し、それによって前記試料中の前記非ルシフェラーゼ酵素の存在または量を検出または測定する工程;
を含む前記方法。
【請求項２】
試料中の非ルシフェラーゼ酵素モジュレーターの活性を検出または測定する方法であって、
a)非ルシフェラーゼ酵素を発現するミクロソームを含む試料と、非ルシフェラーゼ酵素媒介反応のための第1反応混合物と、前記非ルシフェラーゼ酵素に対するモジュレーター活性が評価される化合物と、前記非ルシフェラーゼ酵素の基質である2-シアノ-6-置換ベンゾチアゾールの誘導体とを含む第1混合物であって、前記第1混合物が、前記非ルシフェラーゼ酵素の活性に特異的な補因子を含まず、前記誘導体が、D-システイン及び前記非ルシフェラーゼ酵素の存在下、甲虫ルシフェラーゼの生物発光基質である生成物を生じる、前記第1混合物を提供する工程;
b)前記第1混合物の少なくとも一部と、D-システインを含む、甲虫ルシフェラーゼ媒介反応のための第2反応混合物とを接触させて、第2混合物を産出する工程;及び
c)前記第2混合物における発光を、前記非ルシフェラーゼ酵素を発現するミクロソームを含む試料と、非ルシフェラーゼ酵素媒介反応のための第1反応混合物と、前記非ルシフェラーゼ酵素に対するモジュレーター活性が評価される化合物と、前記2-シアノ-6-置換ベンゾチアゾールの誘導体と、前記非ルシフェラーゼ酵素に特異的な補因子を有する第3混合物が、D-システインを含む、甲虫ルシフェラーゼ媒介反応のための反応混合物と接触される対照混合物における発光と比較し、それによって前記化合物のモジュレーション活性を検出または測定する工程;
を含む前記方法。
【請求項３】
前記非ルシフェラーゼ酵素が、UGT、GST、CYP450、FMO、HDACまたはプロテアーゼを含む、請求項1又は2記載の方法。
【請求項４】
非ルシフェラーゼ酵素媒介反応のための前記第1反応混合物が、さらに、非ルシフェラーゼ酵素媒介反応の試験モジュレーターを含む、請求項1記載の方法。
【請求項５】
前記試験モジュレーター又は前記モジュレーター活性が評価される化合物が、前記非ルシフェラーゼ酵素のインヒビター、非ルシフェラーゼ酵素の競合的基質または前記非ルシフェラーゼ酵素のアクチベーターである、請求項2又は4記載の方法。
【請求項６】
試料が組織抽出物または組換えミクロソームを含む、請求項1記載の方法。
【請求項７】
前記ミクロソームが組換えミクロソームである、請求項2記載の方法。
【請求項８】
前記ミクロソームが特定のアイソザイムを発現する、請求項6又は7記載の方法。
【請求項９】
前記ミクロソームが哺乳動物ミクロソームである、請求項6又は7記載の方法。
【請求項１０】
前記非ルシフェラーゼ酵素が、UGTであるか又は前記非ルシフェラーゼ酵素モジュレーターが、UGTモジュレーターであり、かつ、前記補因子が、UDPGAである、請求項1〜9のいずれか１項記載の方法。
【請求項１１】
前記2-シアノ-6-置換ベンゾチアゾールの誘導体が、式Iの化合物:
2012501677.tif 000001
であって、
式中、R1はOH、ORx、OSO2RxまたはNHRxであり;
R2は(C1-C3)アルキル、トリフルオロメチル、アミノ、ニトロまたはハロであり;
nは0、1、2または3であり;
Rxはアリールまたは(C1-C3)アルキルアリールである、
請求項1〜10のいずれか1項に記載の方法。
【請求項１２】
Rxが1〜5のハロ、ヒドロキシ、ニトロまたはアミノ基で置換されるアリールである、請求項１１に記載の方法。
【請求項１３】
前記式Iの化合物が、
2012501677.tif 000002
である、請求項11記載の方法。
【請求項１４】
前記2-シアノ-6-置換ベンゾチアゾールの誘導体が、式XVの化合物:
2012501677.tif 000003
であって、
式中、Zは水素または保護基であり;
Lはアミノ酸または2〜10アミノ酸鎖であり;
TはOまたはNHであり;
Xは水素またはフッ素であり、ただしXがHである場合、アミノ酸の少なくとも1つはR、N、D、C、Q、E、H、K、S、T、WまたはYである、
請求項1〜10のいずれか1項に記載の方法。
【請求項１５】
Zが保護基であり、前記保護基が窒素保護基または酸素保護基である、請求項14記載の方法。
【請求項１６】
ZがCbz、Boc、アセチルまたはスクシニルである、請求項14記載の方法。
【請求項１７】
前記式XVの化合物が:
2012501677.tif 000004
である、請求項14記載の方法。
【請求項１８】
式XVの化合物:
2012501677.tif 000005
であって、
式中、Zは水素または保護基であり;
Lはアミノ酸または2〜10アミノ酸鎖であり;
TはOまたはNHであり;
Xは水素またはフッ素であり、ただしXがHである場合、アミノ酸の少なくとも1つはR、N、D、C、Q、E、H、K、S、T、WまたはYである化合物。
【請求項１９】
Zが保護基であり、前記保護基が窒素保護基または酸素保護基である、請求項18記載の化合物。
【請求項２０】
ZがCbz、Boc、アセチルまたはスクシニルである、請求項18記載の化合物。
【請求項２１】
前記式XVの化合物が:
2012501677.tif 000006
である、請求項18記載の化合物。
【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
固定され膜透過処理が施された細胞内における、リボ核酸分子の第１の標的配列に対するプローブ処理方法であって、
前記細胞を少なくとも１２種類の重複しない第１の組の核酸ハイブリダイゼーションプローブを過剰に含有するハイブリダイゼーション溶液に浸すステップと、
未結合のプローブを除去するために、前記固定された細胞を洗浄するステップと、
前記洗浄された細胞内の標識のスポットを検出するステップとを含み、
前記プローブは、ヌクレオチド７−４０個の長さで、かつ、第１の色の同一の第１の検出可能な標識で標識された前記第１の標的配列に相補的である核酸配列を含むことを特徴とする、プローブ処理方法。
【請求項２】
前記第１の組のプローブは、ヌクレオチド１５−３０個の長さで標的配列に相補的な配列を有することを特徴とする、請求項１に記載の方法。
【請求項３】
前記第１の組のプローブは、少なくとも２４種類のプローブを含むことを特徴とする、請求項１又は２に記載の方法。
【請求項４】
前記第１の組のプローブは、少なくとも３０種類のプローブを含むことを特徴とする、請求項１又は２に記載の方法。
【請求項５】
前記第１の検出可能な標識は、蛍光標識であることを特徴とする、請求項１又は４に記載の方法。
【請求項６】
前記第１の組のプローブはすべて、標識１個だけで標識されることを特徴とする、請求項１又は５に記載の方法。
【請求項７】
前記検出するステップは、蛍光顕微鏡を用いて画像化するステップを含むことを特徴とする、請求項５に記載の方法。
【請求項８】
前記検出するステップは、前記第１の検出可能な標識のスポットを表示するために、固定化され洗浄された前記細胞を画像化するステップと、前記スポットを強調するために画像を処理するステップと、前記スポットの数が閾値に反応しない強度閾値を用いて強調されたスポットを解析するステップとを含むことを特徴とする、請求項１又は７に記載の方法。
【請求項９】
３次元線形ラプラシアン・オブ・ガウシアンフィルターを用いて前記画像をフィルタリングすることにより、前記画像が処理されることを特徴とする、請求項８に記載の方法。
【請求項１０】
前記ハイブリダイゼーション溶液は、少なくとも１２種類の重複しない第２の組の核酸ハイブリダイゼーションプローブを過剰に含有し、該第２の組の核酸ハイブリダイゼーションプローブは、ヌクレオチド７−４０個の長さで、かつ、前記第１の検出可能な標識と識別可能である同一の第２の検出可能な標識で標識される第２の標的配列に相補的である配列を含むことを特徴とする、請求項１に記載の方法。
【請求項１１】
試験化合物が細胞内のメッセンジャーＲＮＡ分子の第１の標的配列の分布又は量に影響を与えるかどうかを確認する検定方法であり、該検定方法は、
前記試験化合物を用いて、応答が起こるのに十分な期間、細胞を培養するステップと、
該細胞に透過処理を施すステップと、
透過処理を施した前記細胞を少なくとも１２種類の重複しない第１の組の核酸ハイブリダイゼーションプローブを過剰に含有するハイブリダイゼーション溶液に浸すステップと、
未結合のプローブを除去するために、前記細胞を洗浄するステップと、
前記第１の検出可能な標識の量又は分布を検出するステップと、
該量又は分布を、同様の処理を施されるが、前記試験化合物を用いない対照から得られる量又は分布と比較するステップとを含み、
前記核酸ハイブリダイゼーションプローブは、ヌクレオチド７−４０個の長さで、かつ、同一の第１の検出可能な標識で標識される前記第１の標的配列に相補的である配列を含むことを特徴とする、検定方法。
【請求項１２】
前記第１の組のプローブは、ヌクレオチド１５−３０個の長さで標的配列に相補的な配列を有することを特徴とする、請求項１１に記載の方法。
【請求項１３】
前記第１の組のプローブは、少なくとも２４種類のプローブを含むことを特徴とする、請求項１１又は１２に記載の方法。
【請求項１４】
前記第１の検出可能な標識は、蛍光標識であることを特徴とする、請求項１１ないし１３のいずれか１つに記載の方法。
【請求項１５】
前記第１の組のプローブはすべて、標識１個だけで標識されることを特徴とする、請求項１１ないし１４のいずれか１つに記載の方法。
【請求項１６】
前記検出するステップは、前記分布を強調するために処理するステップと、解析が閾値に反応しない強度閾値を用いて前記強調された分布を解析するステップとを含むことを特徴とする、請求項１１ないし１５のいずれか１つに記載の方法。
【請求項１７】
前記ハイブリダイゼーション溶液は、少なくとも１２種類の重複しない第２の組の核酸ハイブリダイゼーションプローブを過剰に含有し、該第２の組の核酸ハイブリダイゼーションプローブは、ヌクレオチド７−４０個の長さで、かつ、前記第１の検出可能な標識と識別可能である同一の第２の検出可能な標識で標識された第２の標的配列に相補的である配列を含むことを特徴とする、請求項１１に記載の方法。
【請求項１８】
前記検出するステップは、遺伝子発現プロファイルを得るために、メッセンジャーＲＮＡ単一分子に対応するスポットを計数することを含むことを特徴とする、請求項１１に記載の方法。
【手続補正書】
【提出日】平成24年9月13日(2012.9.13)
【手続補正１】
【補正対象書類名】特許請求の範囲
【補正対象項目名】全文
【補正方法】変更
【補正の内容】
【特許請求の範囲】
【請求項１】
動物細胞において核酸または遺伝子を導入および発現させる方法においてバクトフェクション効率を増加させるための細胞に浸透する凍結防止剤の使用であって、前記方法が、以下：
(a) 第一の複製起点、第二の複製起点、および真核細胞発現カセットを含み、前記の発現カセットが前記の核酸または遺伝子を含むベクターを提供し、
(b) 少なくとも一つの形質転換した細菌を形成するために少なくとも一つの侵入性のある縮小させたゲノム細菌をベクターで形質転換し、
(c) 前記の凍結防止剤中で前記の形質転換した細菌を凍結し、および
(d) 前記の形質転換した細菌により動物細胞を感染させること
を含む、使用。
【請求項２】
前記凍結防止剤がグリセロールまたはジメチルスルホキシドである、請求項１に記載の使用。
【請求項３】
前記凍結防止剤がグリセロールであり、前記の形質転換した細菌が前記の感染の前に含水グリセロール溶液で凍結される、請求項２記載の使用。
【請求項４】
前記の含水グリセロール溶液が５% w/w〜２５％ w/wグリセロールである、請求項３に記載の使用。
【請求項５】
前記の含水グリセロール溶液が１５% w/wグリセロールである、請求項３に記載の使用。
【請求項６】
前記の形質転換した細菌が−３０℃〜-100℃の温度で凍結される、請求項１〜５のいずれか１項に記載の使用。
【請求項７】
前記の形質転換した細菌が−８０℃の温度で凍結される、請求項１〜６のいずれか１項に記載の使用。
【請求項８】
前記動物細胞が、ヒト、ウシ、ヒツジ、ブタ、イヌ、スイギュウ、ネコ、ヤギ、ウマ、ロバ、シカ、霊長類またはマウスの細胞である、請求項１〜７のいずれか１項に記載の使用。
【請求項９】
前記動物細胞が、線維芽細胞、幹細胞および心筋細胞からなる群より選ばれる哺乳動物細胞である、請求項１〜８のいずれか１項に記載の使用。
【請求項１０】
前記動物細胞が哺乳類体細胞であり、
前記方法が、前記哺乳類体細胞から多能性幹（iPS）細胞を産生する方法であり、
前記発現カセットが、転写因子Oct3/4をコードする少なくとも１つの遺伝子、およびSRY-関連HMGボックス転写因子ファミリーのメンバーをコードする遺伝子を含み、
前記哺乳類体細胞を前記の形質転換した細菌に感染させることが、前記哺乳類体細胞からiPS細胞の産生を引き起こす、請求項１〜９のいずれか１項記載の使用。
【請求項１１】
前記SRY-関連HMGボックス転写因子ファミリーのメンバーが、Sox1、Sox2、Sox3、およびSox15からなる群より選択される、請求項１０に記載の使用。
【請求項１２】
前記真核細胞発現カセットが、Nanog、Lin28、Klf1、Klf2、Klf4およびKlf5からなる群から選択される１以上の転写因子をコードする１以上の遺伝子をさらに含む、請求項１または１０に記載の使用。
【手続補正書】
【提出日】平成24年6月18日(2012.6.18)
【手続補正１】
【補正対象書類名】特許請求の範囲
【補正対象項目名】全文
【補正方法】変更
【補正の内容】
【特許請求の範囲】
【請求項１】
車両任務中に、エネルギー貯蔵装置の現在の充電状態に影響を与えるように車両エネルギー貯蔵装置へのおよび／またはそれからの電力移送速度を制御する方法であって、前記任務が複数の今後の電力移送機会を含む、方法において、
前記車両に搭載された発電機から前記エネルギー貯蔵装置への前記電力移送速度を制御するステップと、
今後の電力移送機会の予測される期間に基づいて前記電力移送速度を調整するステップと、
を含む方法。
【請求項２】
前記今後の電力移送機会の前記予測される期間が所定の閾値よりも大きい場合、前記今後の電力移送機会の前記電力移送速度を低減させる、請求項１記載の方法。
【請求項３】
前記今後の電力移送機会の前記予測される期間が所定の閾値と異なる場合、前記今後の電力移送機会の前記電力移送速度を変更する、請求項１記載の方法。
【請求項４】
現在の電力移送機会の予測された期間に基づいて前記現在の電力移送機会の前記電力移送速度を調整するステップをさらに含む、請求項１記載の方法。
【請求項５】
前記今後の電力移送機会の前記予測される期間に基づいて前記電力移送速度を調整するステップが、
後続の今後の電力移送機会の予測される期間に基づいて現在の電力移送機会の電力移送速度を調整するステップであり、前記現在の電力移送機会が前記後続の今後の電力移送機会の直前にある、ステップを
さらに含む、請求項１記載の方法。
【請求項６】
前記現在の電力移送機会の前記電力移送速度を調整するステップが、
前記後続の今後の前記電力移送機会の前記予測される期間が増加するとき、前記現在の電力移送機会の終りに第１の目標充電状態を達成するために先行する現在の電力移送機会の前記電力移送速度を調整するステップと、
前記後続の今後の電力移送機会の前記予測される期間が減少するとき、前記現在の電力移送機会の終りに第２の目標充電状態を達成するために前記先行する現在の電力移送機会の前記電力移送速度を調整するステップであり、前記第２の目標充電状態が前記第１の目標充電状態よりも高い、ステップと
を含む、請求項５記載の方法。
【請求項７】
前記車両が機関車であり、前記機会の前記期間の変動に応じて、または車両任務の変更に基づいて前記電力移送速度を調整するステップをさらに含む、請求項１記載の方法。
【請求項８】
前記エネルギー貯蔵装置が、バッテリ、フライホイール、およびウルトラキャパシタのうちの少なくとも１つである、請求項１記載の方法。
【請求項９】
前記電気エネルギー貯蔵装置が、複数のエネルギー貯蔵バンクを含むエネルギー貯蔵システムである、請求項１記載の方法。
【請求項１０】
前記複数のエネルギー貯蔵バンクがバッテリを含む、請求項９記載の方法。
【請求項１１】
現在の電力移送機会に前記エネルギー貯蔵装置の前記電力移送速度を調整するステップと、前記エネルギー貯蔵装置の動作状態に応じて今後の電力移送機会に前記電力移送速度を調整するステップとをさらに含む、請求項１記載の方法。
【請求項１２】
前記エネルギー貯蔵バンクの動作状態に応じて前記複数のエネルギー貯蔵バンクのうちの少なくとも１つの前記電力移送速度を調整するステップをさらに含む、請求項９記載の方法。
【請求項１３】
前記動作状態が前記装置の老化である、請求項１２記載の方法。
【請求項１４】
前記動作状態が前記装置の温度である、請求項１２記載の方法。
【請求項１５】
前記装置の温度に応じて前記電力移送速度を調整するステップが、前記装置の前記温度が増加するとき、前記今後の電力移送機会に前記装置の前記電力移送速度を低減させるステップを含む、請求項１４記載の方法。
【請求項１６】
前記エネルギー貯蔵装置の温度および老化に応じて前記第１の目標充電状態の上側閾値および下側閾値を調整するステップをさらに含む、請求項６記載の方法。
【請求項１７】
上側閾値および下側閾値を調整するステップが、前記装置の温度および老化が増加するとき、前記第１の目標充電状態の前記上側閾値を低減し、前記下側閾値を増大するステップを含む、請求項１６記載の方法。
【請求項１８】
任務の変更の場合には、前記エネルギー貯蔵バンクを異なるように充電するステップをさらに含む、請求項９記載の方法。
【請求項１９】
前記エネルギー貯蔵バンクを異なるように充電するステップが、前記エネルギー貯蔵バンク間で電力を移送するステップを含む、請求項１８記載の方法。
【請求項２０】
機関車上に配置されたエネルギー貯蔵装置へのおよび／またはそれからの電力移送速度を制御するためのシステムであって、
機関車上に配置されたエネルギー貯蔵装置と、
機関車上に配置された発電機と、
前記エネルギー貯蔵装置と前記発電機とに結合された制御システムと、
を備え、
前記制御システムは、今後の電力移送機会の期間を予測し、現在の電力移送機会の間に前記エネルギー貯蔵装置へのおよび／またはそれからの電力移送速度を調整して、前記今後の電力移送機会の前記予測された期間に基づいて前記エネルギー貯蔵装置の現在の電流充電状態に影響を与えるように構成されている、
システム。
【請求項２１】
前記複数のエネルギー貯蔵装置が、バッテリ、フライホイール、およびウルトラキャパシタのうちの少なくとも１つを含む、請求項２０記載のシステム。
【請求項２２】
前記制御システムが、前記エネルギー貯蔵装置の動作状態に応じて前記電力移送速度をさらに調整する、請求項２１記載のシステム。
【請求項２３】
前記任務の変更の場合には、前記制御システムが前記エネルギー貯蔵装置を異なるように充電するようにさらに構成される、請求項２１記載のシステム。
【請求項２４】
前記エネルギー貯蔵装置を異なるように充電するステップが、前記エネルギー貯蔵装置間で電力を移送するステップを含む、請求項２３記載のシステム。
【手続補正書】
【提出日】平成24年9月3日(2012.9.3)
【手続補正１】
【補正対象書類名】明細書
【補正対象項目名】００１５
【補正方法】変更
【補正の内容】
【００１５】
［定義］
本発明において、用語「（１または複数の）標的イオン」は、不要なイオン（例えば発酵プロセスにおける阻害物質）、および液体組成物から取り出される所望の生成物を構成するイオンの両方を包含することが意図される。標的イオンの限定的でない例として、乳酸イオンを挙げることができる。乳酸は乳酸菌（ＬＡＢ）培養に対する、従って生きているＬＡＢ培養物を有するバイオリアクタに対する公知の阻害物質であり、乳酸イオンはＲＥＥＤ法に対する標的イオンであり得る。用語「標的イオン」は水素イオンを包含しない。
【手続補正２】
【補正対象書類名】明細書
【補正対象項目名】００４０
【補正方法】変更
【補正の内容】
【００４０】
本発明の一の態様において、「二次ＲＥＥＤシステム」は、一次ＲＥＥＤシステムと比較して反対の電荷を有するイオンを交換し、従って、標的イオンレベルの制御を改良するために導入される。酸生成プロセスにおいて、ｐＨ制御のための一次ＲＥＥＤシステムとしてＡＸ−ＲＥＥＤを使用し、それによって酸性標的イオンを中和する。ＣＸ−ＲＥＥＤを二次ＲＥＥＤシステムとして加えることにより、並列または直列モードにおいて反応器からのカチオンを水素イオンと交換することができ、これは、より多くの酸性分子を加えることなく反応器の酸性化の役割を果たす。ｐＨを調節するＡＸ−ＲＥＥＤは、反応器のアニオンの水酸化物イオンとの交換を増加させることによって、従って酸性標的イオンの抽出を増加させて、さもなければ起こり得るそれらの蓄積に打ち勝つことによって、酸性化の増大に反応するであろう。それにより、反応器のｐＨ安定性を乱すことなく標的イオン濃度を低下させることが可能である。
【手続補正書】
【提出日】平成24年6月14日(2012.6.14)
【手続補正１】
【補正対象書類名】特許請求の範囲
【補正対象項目名】全文
【補正方法】変更
【補正の内容】
【特許請求の範囲】
【請求項１】
整流された電気エネルギを供給するための電源（３）と、
電位フリー、直流電流フリー、かつ直流電圧フリーの高周波電圧（ＵＨＦ）を提供するための電力発振器（１０）と、
前記高周波電圧（ＵＨＦ）を制御するための制御装置（２０）と、
を備える、手術器用高周波発生器であって、
前記電源（３）は、負荷に依存しない出力電流を供給するための電流源として構成され、その目標値は、前記電源（３）の負荷に依存しない出力電流が高周波電圧（ＵＨＦ）を制御するための制御変数として作用するように、前記制御装置（２０）によって予め定められている、
ことを特徴とする、手術器用高周波発生器。
【請求項２】
前記電源（３）は、幹線交流電圧を本質的に一定な直流電圧に変換するための幹線整流装置（２）と、調整可能な整流エネルギを供給するための中間回路と、を備える、ことを特徴とする、請求項１に記載の手術器用高周波発生器。
【請求項３】
前記電源（３）は、降圧コンバータを備える、ことを特徴とする、請求項１または２に記載の手術器用高周波発生器。
【請求項４】
前記電源は、電位分離順方向コンバータを備える、ことを特徴とする、請求項１または２に記載の手術器用高周波発生器。
【請求項５】
前記電源（３）は出力コンデンサを含まないことを特徴とする、請求項１〜４のいずれか１項、特には請求項３または４に記載の手術器用高周波発生器。
【請求項６】
前記制御装置（２０）は、有限の調節時間を有する制御システム、特にはデッドビート制御を備える、ことを特徴とする、請求項１〜５のいずれか１項に記載の手術器用高周波発生器。
【請求項７】
前記電力発振器（１１）は、Ｈブリッジ（Ｔ１ｏ、Ｔ１ｕとＴ２ｏ、Ｔ２ｕ）として構成されたパワーエレクトロニクス駆動回路を備える、ことを特徴とする、請求項１〜６のいずれか１項に記載の手術器用高周波発生器。
【請求項８】
前記半導体回路素子に直列にダイオードが設けられている、ことを特徴とする、請求項１〜７のいずれか１項、特には請求項７に記載の手術器用高周波発生器。
【請求項９】
前記駆動回路は、エネルギ回復動作において、リアクタンス部品に蓄積されたエネルギが前記電源（３）にフィードバックされるように構成されている、ことを特徴とする、請求項１〜８のいずれか１項、特には請求項７に記載の手術器用高周波発生器。
【請求項１０】
前記駆動回路は、前記半導体回路素子（Ｔ１ｏ、Ｔ１ｕとＴ２ｏ、Ｔ２ｕ）がふたつひと組で、位相同期共振して制御されるように構成されている、ことを特徴とする、請求項１〜９のいずれか１項、特には請求項７に記載の手術器用高周波発生器。
【請求項１１】
手術器用高周波発生器における高周波電圧を発生させる方法であって、
電源において整流された電気エネルギを生成し、
電位フリー、直流電流フリー、または直流電圧フリーの制限された高周波電圧を生成する、
ことを含み、
前記電源は、前記電源の負荷に依存しない出力電流が、前記制御変数として前記高周波電圧を制限するように、所定の目標値を有する負荷に依存しない出力電流を供給する、
ことを特徴とする、方法。
【請求項１２】
前記電源は、有限の調節時間を有する制御システム、特にはデッドビート制御器によって制限される、ことを特徴とする、請求項１１に記載の方法。
【請求項１３】
エネルギ回復動作において、リアクタンス部品に蓄積されたエネルギが前記電源にフィードバックされる、ことを特徴とする、請求項１１または１２のいずれか１項に記載の方法。
【手続補正書】
【提出日】平成24年8月7日(2012.8.7)
【手続補正１】
【補正対象書類名】特許請求の範囲
【補正対象項目名】全文
【補正方法】変更
【補正の内容】
【特許請求の範囲】
【請求項１】
おおむね円筒形の内表面を有しており、主水平方向成分を有する軸を中心に回転するために当該軸に支持されている中空ハウジングと、
前記おおむね円筒形の内表面上又は当該内表面に隣接した熱伝導管のネットワークと、
冷媒を冷却するための冷却ユニットと、
前記管に接触する水を凍結するのに充分な温度で、前記冷却ユニットから前記管へ冷媒を供給するためのマニホールド機構と、
前記中空ハウジングの内部へ水を供給するための手段と、を備え、
氷の結晶の層を堆積させるために水が供給されている間、前記ハウジングが連続的かつ一様に回転させられ、前記ハウジングの回転時に前記層の移動の初期の上昇部分がスキーまたはスノーボードの下方へ相対的に通過することができる、スノースポーツ装置。
【請求項２】
前記水を供給するための手段が、前記中空ハウジングの内部へ水を噴霧する手段である請求項１に記載のスノースポーツ装置。
【請求項３】
前記噴霧手段は、前記中空ハウジングの前記軸またはその付近に位置することができる請求項２に記載のスノースポーツ装置。
【請求項４】
１人以上の人が前記ハウジング内に存在してスキーまたはスノーボードにて前記氷の結晶の層を通過するときに、前記噴霧手段を前記軸またはその付近の前記位置から引き出すことができる請求項３に記載のスノースポーツ装置。
【請求項５】
前記噴霧手段が、前記中空ハウジングの前記軸またはその付近の前記位置にあるときに、前記ハウジングの実質的に全長にわたって延びる請求項３または４に記載のスノースポーツ装置。
【請求項６】
前記噴霧手段が、微細な霧としての水を生成する請求項２に記載のスノースポーツ装置。
【請求項７】
前記水冷却手段が、ハウジングの内部へ供給される水を、水の凝固点よりも高いが５℃未満である温度に冷却するために設けられている請求項１から６のいずれかに記載のスノースポーツ装置。
【請求項８】
前記水冷却手段により水が２℃に冷却される請求項７に記載のスノースポーツ装置。
【請求項９】
前記中空ハウジングに集まり、または、前記中空ハウジングから落ちる液体の水を、集めて再使用するための手段をさらに備えている請求項１から８のいずれかに記載のスノースポーツ装置。
【請求項１０】
前記冷媒がグリコールである請求項１から９のいずれかに記載のスノースポーツ装置。
【請求項１１】
前記熱伝導管が鋼又は銅である請求項１から１０のいずれかに記載のスノースポーツ装置。
【請求項１２】
前記ハウジングの回転速度が可変である請求項１から１１のいずれかに記載のスノースポーツ装置。
【請求項１３】
前記ハウジングの直径が１０〜２０メートルである請求項１から１２のいずれかに記載のスノースポーツ装置。
【請求項１４】
前記ハウジングが少なくとも２つの外周のリングを含み、間隔をあけたローラ上に駆動可能に支持されている請求項１から１３のいずれかに記載のスノースポーツ装置。
【請求項１５】
前記ハウジングが中心軸構成に取り付けられ、駆動される請求項１から１４のいずれかに記載のスノースポーツ装置。
【請求項１６】
おおむね円筒形の内表面を有しており、主水平方向成分を有する軸を中心に回転するために当該軸に支持されている中空ハウジングと、
表面を提供するために前記中空ハウジングの内部に水を噴霧する手段であって、前記表面は前記ハウジングの回転時に当該表面の移動の初期の上昇部分がスキーまたはスノーボードの下方へ相対的に通過することができる手段と、を備え、
前記噴霧手段が、前記中空ハウジングの前記軸上又は前記軸付近に位置することができ、かつ、１人以上の個人が前記ハウジング内にいるときに前記軸上又は前記軸付近の位置から引き出し可能である、スノースポーツ装置。
【手続補正書】
【提出日】平成24年5月1日(2012.5.1)
【手続補正１】
【補正対象書類名】特許請求の範囲
【補正対象項目名】請求項５
【補正方法】変更
【補正の内容】
【請求項５】
興味のある身体構造上の領域に追加の外骨格強化部を提供するために、又は器具を安定化するために、皮膚に付着するための第４突出部分
を更に有して成る請求項４に記載の器具。
【手続補正書】
【提出日】平成24年8月31日(2012.8.31)
【手続補正１】
【補正対象書類名】特許請求の範囲
【補正対象項目名】請求項１５
【補正方法】変更
【補正の内容】
【請求項１５】
請求項９から１４のいずれか一項において、さらに、
前記バイオポリマーの繊維のブロックを一辺１インチ（２．５４ｃｍ）から１０インチ（２５．４ｃｍ）の立方状体に切断する工程、
を含む、生分解性の植物生育培地の製造方法。
【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
シナプス小胞サイクリングの側面を分析するためのプラットフォームであって、該プラットフォームは、
ａ）複数のウェル；
ｂ）複数の電極対、
ここで各電極対は、
（ｉ）ウェル内に配置するために、および
（ｉｉ）ウェル内の複数神経細胞にシナプス小胞サイクリングを誘発する電界を発生させるように構成されており、また
ここで複数の電極対は、複数ウェル内の神経細胞に実質的に同時にシナプス小胞サイクリングを誘発し；および
ｃ）複数の検出器を含む検出システム、
ここで各検出器は、ウェルに存在する神経細胞のシナプス小胞タンパク質に付着したレポーター分子からの発光シグナルを検出し、また
ここで発光シグナルの存在が、神経細胞のシナプス小胞サイクリングの側面を示す；
を含む、前記プラットフォーム。
【手続補正書】
【提出日】平成24年9月10日(2012.9.10)
【手続補正１】
【補正対象書類名】特許請求の範囲
【補正対象項目名】全文
【補正方法】変更
【補正の内容】
【特許請求の範囲】
【請求項１】
植物の光合成細胞におけるフルクタン生合成を操作すること、植物におけるバイオマスを増強すること、及び形質転換植物を選択することからなる群から選択される方法であって、該植物中に、１つ以上のフルクタン生合成酵素をコードする核酸、またはその機能的に活性なフラグメントもしくは改変体に対して作動可能に連結された、プロモーターまたはその機能的に活性なフラグメントもしくは改変体を含む遺伝子構築物の有効量を導入する工程を包含し、前記方法が形質転換植物を選択することである場合、増強されたバイオマスを有する植物を選択する工程を更に包含する、方法。
【請求項２】
前記プロモーターが光調節性プロモーターである、請求項１に記載の方法。
【請求項３】
前記１つ以上のフルクタン生合成酵素が、１−ＳＳＴ、１−ＦＦＴ、６−ＳＦＴおよび６Ｇ−ＦＦＴからなる群より選択される、請求項１に記載の方法。
【請求項４】
前記１つ以上のフルクタン生合成酵素をコードする前記核酸が、１−ＳＳＴ、１−ＦＦＴ、６−ＳＦＴおよび６Ｇ−ＦＦＴのうちの２つ以上の融合タンパク質をコードする、請求項３に記載の方法。
【請求項５】
植物中の生化学的経路の生産性を増強する、または植物におけるバイオマスを増強する方法であって、該植物中に、該経路由来の２つ以上の酵素をコードする核酸、またはその機能的に活性なフラグメントもしくは改変体を含む遺伝子構築物の有効量を導入する工程を包含し、前記核酸が連結されて、前記２つ以上の酵素の融合タンパク質をコードする融合遺伝子を形成する、方法。
【請求項６】
前記生化学的経路が、フルクタン生合成経路であり、かつ該経路由来の２つ以上の酵素が１−ＳＳＴ、１−ＦＦＴ、６−ＳＦＴおよび６Ｇ−ＦＦＴからなる群より選択される、請求項５に記載の方法。
【請求項７】
植物の光合成細胞におけるフルクタン生合成を操作し得る遺伝子構築物であって、１つ以上のフルクタン生合成酵素をコードする核酸、またはその機能的に活性なフラグメントもしくは改変体に対して作動可能に連結された、プロモーター、またはその機能的に活性なフラグメントもしくは改変体を含む遺伝子構築物。
【請求項８】
前記プロモーターが光調節性プロモーターである、請求項７に記載の遺伝子構築物。
【請求項９】
前記１つ以上のフルクタン生合成酵素が、１−ＳＳＴ、１−ＦＦＴ、６−ＳＦＴおよび６Ｇ−ＦＦＴからなる群より選択される、請求項７に記載の遺伝子構築物。
【請求項１０】
１つ以上のフルクタン生合成酵素をコードする前記核酸が、１−ＳＳＴ、１−ＦＦＴ、６−ＳＦＴおよび６Ｇ−ＦＦＴのうちの２つ以上のＦＴ融合タンパク質をコードする、請求項９に記載の遺伝子構築物。
【請求項１１】
植物中の生化学的経路の生産性を増強し得る、または植物におけるバイオマスを増強し得る遺伝子構築物であって、該経路由来の２つ以上の酵素をコードする核酸、またはその機能的に活性なフラグメントもしくは改変体を含み、前記核酸が連結されて、前記２つ以上の酵素の融合タンパク質をコードする融合遺伝子を形成する、遺伝子構築物。
【請求項１２】
前記生化学的経路が、フルクタン生合成経路であり、かつ該経路由来の２つ以上の酵素が１−ＳＳＴ、１−ＦＦＴ、６−ＳＦＴおよび６Ｇ−ＦＦＴからなる群より選択される、請求項１１に記載の遺伝子構築物。
【請求項１３】
植物中のバイオマスを増強する方法であって、該植物中に、該植物の光合成細胞におけるフルクタン生合成を操作し得る遺伝子構築物、および該植物における老化を操作し得る遺伝子構築物の有効量を導入する工程を包含する、方法。
【請求項１４】
フルクタン生合成を操作し得る前記遺伝子構築物が、１つ以上のフルクタン生合成酵素をコードする核酸、またはその機能的に活性なフラグメントもしくは改変体に対して作動可能に連結されたプロモーター、またはその機能的に活性なフラグメントもしくは改変体を含む、請求項１３に記載の方法。
【請求項１５】
前記プロモーターが光調節性プロモーターである、請求項１４に記載の方法。
【請求項１６】
老化を操作し得る前記遺伝子構築物が、サイトキニンの生合成に関与する酵素をコードする遺伝子、またはその機能的に活性なフラグメントもしくは改変体に対して作動可能に連結された、ＭＹＢ遺伝子プロモーターもしくは修飾されたＭＹＢ遺伝子プロモーター、またはその機能的に活性なフラグメントもしくは改変体を含む、請求項１４に記載の方法。
【請求項１７】
形質転換されていないコントロールの植物に対して、少なくとも約１０％、より好ましくは少なくとも約２０％、より好ましくは少なくとも約３０％、より好ましくは少なくとも約４０％の増大したバイオマスを有する、形質転換されていないコントロールの植物に対して修飾されたフルクタン生合成特徴または増強されたバイオマスを有する、トランスジェニックの植物細胞、植物、植物種子または他の植物部分。
【請求項１８】
形質転換されていないコントロールの植物に対して、少なくとも約１０％、より好ましくは少なくとも約２０％、より好ましくは少なくとも約３０％、より好ましくは少なくとも約４０％の増大した可溶性の炭水化物を有する、請求項１７に記載のトランスジェニックの植物細胞、植物、植物種子または他の植物部分。
【手続補正書】
【提出日】平成24年8月24日(2012.8.24)
【手続補正１】
【補正対象書類名】特許請求の範囲
【補正対象項目名】全文
【補正方法】変更
【補正の内容】
【特許請求の範囲】
【請求項１】
患者が、薬物投与後に薬物性肝障害を発症するリスクを予測する方法であって、
ａ）患者の体液中のアポリポタンパク質のレベルを測定すること；および
ｂ）試料中のアポリポタンパク質の測定レベルを患者集団の基準値と比較すること
を含む、前記方法。
【請求項２】
アポリポタンパク質が、Ａｐｏ  Ａ−Ｉ、Ａｐｏ  Ａ−ＩＩ、Ａｐｏ  Ａ−ＩＶ、Ａｐｏ  Ｂ−１００、Ａｐｏ  Ｂ−４８、Ａｐｏ  Ｃ−Ｉ、Ａｐｏ  Ｃ−ＩＩ、Ａｐｏ  Ｃ−ＩＩＩまたはＡｐｏ  Ｅから選択される、請求項１に記載の方法。
【請求項３】
アポリポタンパク質がＡｐｏＡ１である、請求項２に記載の方法。
【請求項４】
ＡｐｏＡ１の基準値が約１５５から１９５ｍｇ／ｄＬの間である、請求項３に記載の方法。
【請求項５】
ＡｐｏＡ１の基準値が１６５ｍｇ／ｄＬである、請求項４に記載の方法。
【請求項６】
患者におけるＡＬＴレベルおよび患者における総ビリルビンレベルの少なくとも１つを測定すること、および測定レベルを集団のＡＬＴの基準値または総ビリルビンの基準値と比較することを更に含む、請求項１に記載の方法。
【請求項７】
体液が、血液、血漿、粘液、唾液、血清または尿から選択される、請求項１に記載の方法。
【請求項８】
ａ）患者試料中のアポリポタンパク質のレベルを測定する検出系；および
ｂ）測定レベルを集団の予め決定された正常な上限（ＵＬＮ）と比較する系
を含む、薬物性肝障害のリスクのある患者を同定するためのキット。
【請求項９】
検出系が固体支持体に固定されている、請求項８に記載のキット。
【請求項１０】
検出系がアポリポタンパク質の抗体を含む、請求項９に記載のキット。
【請求項１１】
キットが、試料中のアポリポタンパク質のレベルがＵＬＮの１．０倍を超える場合の目視読取りシグナルを含む、請求項８に記載のキット。
【請求項１２】
アポリポタンパク質がＡｐｏＡ１である、請求項８に記載のキット。
【請求項１３】
試料中のＡＬＴのレベル、試料中の総ビリルビンのレベルおよび試料中のＡＬＴと総ビリルビンの組合せから選択されるレベルを測定し、および測定レベルを集団におけるＡＬＴまたは総ビリルビンのＵＬＮと比較する系を更に含む、請求項８に記載のキット。
【請求項１４】
ＡＬＴのレベルがＡＬＴのＵＬＮの約２倍を超える場合または総ビリルビンのレベルが総ビリルビンのＵＬＮの約１倍を超える場合の目視読取りシグナルを含む、請求項１３に記載のキット。
【請求項１５】
ＡｐｏＡ１のＵＬＮが約１５５から１９５ｍｇ／ｄＬの間である、請求項１２に記載のキット。
【請求項１６】
ＡｐｏＡ１のＵＬＮが１６５ｍｇ／ｄｌである、請求項１２に記載のキット。